(57)【要約】【課題】  単一の買い物袋に各種の購入品を混載する場合、購入品の形状劣化、破損を生じ易い。【解決手段】  袋本体３の側面部１の内側に一端が固定され他端が自由端であり、使用時には袋本体３の底面部２と略平行に配置されて前記袋本体３の内部を上側収納部４と下側収納部５に仕切り、未使用時には、袋本体３の側面部１の内側に収納される仕切り部材６と、側面部１の内側に固定され、前記仕切り部材６の自由端を保持又は開放する係止部材７と、袋本体３の側面部１における前記下側収納部４の位置に開閉自在に設けた開閉口８を設けて、買い物袋を構成する、【選択図】図１
0003126187.tif 000002
【実用新案登録請求の範囲】
【請求項１】
中空筒状の側面部と、該側面部の下方を封止する底面部とを有する袋本体と、
前記袋本体の側面部の内側に一端が固定され他端が自由端であり、使用時には前記袋本体の底面部と略平行に配置されて前記袋本体の内部を上側収納部と下側収納部に仕切り、未使用時には、前記袋本体の側面部の内側に収納される仕切り部材と、
前記側面部の内側に固定され、前記仕切り部材の自由端を保持又は開放する係止部材と、
前記袋本体の側面部における前記下側収納部の位置に開閉自在に設けられ、前記下側収納部への物品の出し入れを自在とする開閉口と、
を備えたことを特徴とする買い物袋。
【請求項２】
前記仕切り部材が、複数の棒状部材又は管状部材から成る簾状部材であることを特徴とする請求項１に記載の買い物袋。
【請求項３】
前記仕切り部材が、板状の芯材と、前記芯材を覆う布地部材とからなることを特徴とする請求項１に記載の買い物袋。
【請求項４】
前記仕切り部材の一端が、前記側面部の内側に縫着されたことを特徴とする請求項３に記載の買い物袋。
【請求項５】
前記仕切り部材を裏面から支持する支持部材を備えたことを特徴とする請求項１から請求項４の何れか１項に記載の買い物袋。
【請求項６】
前記支持部材が、板状部材と、前記板状部材の両端で折り畳み自在に設けられ使用時に立設されて前記板状部材を支持する脚部材とからなることを特徴とする請求項５に記載の買い物袋。
【請求項７】
前記袋本体の側面部の外側に、太物又は長尺物を収納するための筒状体を前記袋本体の垂下方向と傾斜角度を持たせて設けたことを特徴とする請求項１から請求項６の何れか１項に記載の買い物袋。
【考案の詳細な説明】
【技術分野】
【０００１】  野菜、肉類、魚類、豆腐、寿司、調味料、酒肴品、牛乳、卵などの購入・搬送に際して利用される簡単な買い物袋に関する。
【背景技術】
【０００２】  従来の買い物袋は、内部に中仕切りが無く、また、買い物袋の外面には、補助格納部が存在していても、買い物袋の垂下方向と平行して存在する買い物袋しか市販に供されていなかった。【０００３】  例えば、登録実用新案公報第３０５１０９３号に記載の「布製スーパー買い物袋」は、布で作り、持ち手は同一布を使って二つ折りにし、底の部分の両脇に縫い込みを入れた袋で、折りたたむことによって形態で便利で、洗濯して何回も使用し得て、持ちやすい買い物袋であるが、硬質の物品と軟質の物品を同時に収容した場合の利点には何等の改善点も見受ける事が出来ない。【０００４】  更に、特開２００６−１０３７９０に記載の「買い物袋」は、開口部の処理について記載しているものの、本明細書にて記載し、実用新案登録申請する買い物袋で改善する、硬質の物品と軟質の物品を同時に収容した場合の利点には何等の改善点も見受ける事が出来ない。【０００５】  また、特開２０００−２２５０１５に記載の持参する買い物袋は、袋の「まち」を最大限にとることで、容量を大きくし、収納を簡易にコンパクトにした買い物袋を提示しているが、ここに記載された「持参する買い物袋」は、購買者の利便性について詳述しているものの、前項に同じく、本明細書にて記載し、実用新案登録申請する買い物袋で改善する、硬質の物品と軟質の物品を同時に収容した場合の利点には何等の改善点も見受けられない。
【特許文献１】登録実用新案公報第３０５１０９３号
【特許文献２】特開２００６−１０３７９０
【特許文献３】特開２０００−２２５０１５
【考案の開示】
【考案が解決しようとする課題】
【０００６】  従来の買い物袋では、購入品の種類分別を意図するも、分別無しに購入品を全て一纏めとして収納して行かなければならず、野菜や牛乳などと一緒に、豆腐や、卵、寿司などを搬送する際には、購入品の形状劣化、破損、などが生じ易く、搬送時に必要以上の配慮が要求されていた。
また、大根、フランスパンなどの太物、長尺物を収納する時は、同時に搬送しようとする購入品は、別袋に収納して搬送するを得ず、雨の日等に搬送する際には搬送袋の数が増加して、特に不便を感じる状態にあることが挙げられ、早期の改善が望まれていた。
本考案は、以下に述べる手段を用いて、上記の懸案を解決する。
【課題を解決するための手段】
【０００７】  本考案は、中空筒状の側面部と該側面部の下方を封止する底面部とを有する袋本体と、前記袋本体の側面部の内側に一端が固定され他端が自由端であり、使用時には前記袋本体の底面部と略平行に配置されて前記袋本体の内部を上側収納部と下側収納部に仕切り、未使用時には、前記袋本体の側面部の内側に収納される仕切り部材と、前記側面部の内側に固定され、前記仕切り部材の自由端を保持又は開放する係止部材と、前記袋本体の側面部における前記下側収納部の位置に開閉自在に設けられ、前記下側収納部への物品の出し入れを自在とする開閉口と、を備える「買い物袋」を開示して、上記の課題を解決する。【０００８】  また、本考案の一態様として開示する考案は、前記仕切り部材が、複数の棒状部材又は管状部材から成る簾状部材である「買い物袋」を開示して、上記の課題を解決する。【０００９】  更に、本考案の一態様として開示する考案は、前記仕切り部材が、板状の芯材と、前記芯材を覆う布地部材とからなる「買い物袋」を開示して、上記の課題を解決する。【００１０】  次いで、本考案の一態様として開示する考案は、前記仕切り部材の一端が、前記側面部の内側に縫着された「買い物袋」を開示して、上記の課題を解決する。【００１１】  また、本考案の一態様として開示する考案は、前記仕切り部材を裏面から支持する支持部材を備えた「買い物袋」を開示して、上記の課題を解決する。【００１２】  更に、本考案の一態様として開示する考案は、前記支持部材が、板状部材と、前記板状部材の両端で折り畳み自在に設けられ使用時に立設されて前記板状部材を支持する脚部材とからなる「買い物袋」を開示して、上記の課題を解決する。【００１３】  最後に、本考案の一態様として開示する考案は、前記袋本体の側面部の外側に、太物又は長尺物を収納するための筒状体を前記袋本体の垂下方向と傾斜角度を持たせて設けた「買い物袋」を開示して、上記の課題を解決する。
【考案の効果】
【００１４】  本考案にて開示する考案の買い物袋は、要求に応じて仕切り部材と係止部材とにより、袋本体の内部を上側収納部と下側収納部に仕切り、物品の分類収納を容易にする。これにより野菜や牛乳などと一緒に、豆腐や卵、寿司などを搬送する際にも、物品の形状劣化、破損などを防止し、特別の配慮をする必要無く、物品の搬送を可能にする。【００１５】  本考案の一態様として開示する考案は、仕切り部材を、複数の棒状部材又は管状部材から成る簾状部材とすることにより、袋本体の収納部を上側収納部と下側収納部に仕切る必要の無い場合に、袋本体内部における仕切り部材の配置領域を狭め、袋本体内部の利用領域を高めると共に、仕切り部材自体の損耗を低減する。【００１６】  本考案の一態様として開示する考案は、仕切り部材を、板状の芯材と、前記芯材を覆う布地部材とにより構成することにより、仕切り部材を「買い物袋」袋本体の側面部に縫着する場合の作業性を向上する。【００１７】  本考案の一態様として開示する考案は、仕切り部材の一端が、前記側面部の内側に縫着されることにより、仕切り部材利用時の設定位置をより安定にする。【００１８】  本考案の一態様として開示する考案は、仕切り部材を裏面から支持する支持部材を備えることにより、仕切り部材の湾曲を防止し、仕切り部材の設定位置の変動を少なくし、積載する物品を安定した状態で搬送可能にする。【００１９】  本考案の一態様として開示する考案は、支持部材を組み立て式とすることにより、袋本体の内部を、上側収納部と下側収納部に仕切った上、更に、下側収納部を２つの収納部に分割することも可能にする。仕切り部材の利用が無い場合の物品収納領域を高め乍ら、仕切り部材の利用時には、その要求に対して、迅速に対応出来る。【００２０】  また、本考案の一態様として開示する考案は、袋本体の側面部の外側に、太物又は長尺物を収納するための筒状体を前記袋本体の垂下方向と傾斜角度を持たせて設けることにより、太物又は長尺物の物品の分別収納を可能とし、利便性を向上する。
【考案を実施するための最良の形態】
【００２１】本考案の実施の形態について説明する。
【実施例１】
【００２２】  図１は、本考案実施例の部分斜視図であり、中空筒状の側面部１と該側面部１の下方を封止する底面部２とを有する袋本体３と、前記袋本体３の側面部１の内側に一端が固定され他端が自由端であり、使用時には前記袋本体３の底面部２と略平行に配置されて前記袋本体３の内部を上側収納部４と下側収納部５に仕切り、未使用時には、前記袋本体３の側面部１の内側に収納される仕切り部材６と、前記側面部１の内側に固定され、前記仕切り部材６の自由端を保持又は開放する係止部材７と、前記袋本体３の側面部１における前記下側収納部４の位置に開閉自在に設けられ、前記下側収納部４への物品の出し入れを自在とする開閉口８と、を備えた買い物袋９を示す。【００２３】  この場合、袋本体３の側面部１の上縁部１０にて、仕切り部材６の一端は、縫着により袋本体３の側面部１に固定する。固定方法は縫着以外に貼着、締結など他の方法によっても良い。
上記の買い物袋を利用することにより、各種の物品を購入し、これらの物品を同時に搬送する際に、物品の形状を確保し、物品の破損防止による商品価値の低下を防止するのに有効な手段を得る。開閉口８は、この場合ファスナーを利用するが、釦を利用して開閉可能とすることも可能である。
【実施例２】
【００２４】  図２は、本考案実施例の部分断面図であり、仕切り部材６の断面を示すが、この場合、仕切り部材６は複数の竹材の棒状部材より構成した簾状部材を芯材としている。図面はあくまでも一つの実施例であり、これ以外にも、木材、堅紙、合成樹脂、金属等の棒材や管材を素材とする簾状部材を仕切り部材６として管状部材からなる簾状部材を使用することも何等支障ない。
尚、仕切り部材６の芯材を、竹材、木材、堅紙、合成樹脂、金属等の板状の芯材で用意し、前記これらの芯材を可撓性の布地部材で覆った仕切り部材６を利用することも可能である。
簾状部材を芯材として用いる場合には、袋本体３の内部を、仕切り部材６を用いて上側収納部４と下側収納部５に仕切る必要の無い場合に、簾状部材を巻き上げておくことにより、仕切り部材６の保管領域を小さくすることが可能になる。更に、袋本体３の内部を、上側収納部４と下側収納部５に仕切る必要の生じた場合に、迅速な処理が可能である。
【実施例３】
【００２５】  図３は、本考案実施例の部分斜視断面図であり、支持部材１１を用いて、仕切り部材６を裏面から支持する場合を示す。支持部材１１は、竹材、木材、堅紙、合成樹脂、金属等の棒材または管材を芯材として表面を可撓性の布地を用いて覆い、芯材の両端には可撓性の布地のみの部分を設ける。この可撓性の布地のみの部分を利用して、仕切り部材６の下部にあって、支持部材１１が回動可能な形態を残した状態で、支持部材１１の一端を側面部１に固定する。
また、回動可能な形態を残した状態で、その一端を側面部１に固定した支持部材１１の他端は自由端とし、自由端には、係止部材７を設け、袋本体３の側面部１に設けた係止部材７と締結又は解除操作を可能にする。【００２６】  仕切り部材６を活用する場合には、仕切り部材６の裏面にて、仕切り部材６の長手方向と交差する方向へ支持部材１１を配した後、支持部材１１の自由端１２に設けた係止部材７を、袋本体３の側面部１に設けた係止部材７と締結して、仕切り部材６を裏面から支持する。仕切り部材６の利用が不要な場合は、支持部材１１の可動部を利用して支持部材１１と仕切り部材６の長手方向を揃えた状態で、両部材を袋本体３の側面部１に沿って保持する。支持部材１１の採用により、仕切り部材６の耐荷重強度は増加し、搬送物品の形状保持を目的とする場合に、より高い効果を得る。
【実施例４】
【００２７】  図４は、本考案実施例の部分断面斜視図であり、買い物袋９を構成する支持部材１１は、板状部材１３と、前記板状部材１３の両端で折り畳み自在に設けられ使用時に立設されて前記板状部材１３を支持する脚部材１４とからなる様に構成する。この様に構成することにより、買い物袋９内に、搬送物品の分離収納を可能とする更なる領域を形成すると共に、仕切り部材６の耐荷重性を向上させる。
【実施例５】
【００２８】  図５は、本考案の背面斜視図であり、前記袋本体３の側面部１の外側で、開閉口８を有する側面と対向する側面の外側に、太物又は長尺物を収納するための筒状収納体１５を袋本体３の垂下方向と傾斜角度を持たせて設けている。この場合、単に、物品を収納する場所を確保するだけでなく、筒状収納体１５を前記袋本体３の垂下方向と傾斜角度を持たせて設けることにより、長尺物、例えば、フランスパン、ねぎ、大根などを楽に収納し、搬送物品が買い物袋３よりはみ出す危険度を低減して、物品搬送時の形状保持に効果を示す。
【図面の簡単な説明】
【００２９】
【図１】本発明の実施例の部分斜視図である。
【図２】本発明の実施例の部分断面図である。
【図３】本発明の実施例の部分断面斜視図である。
【図４】本発明の実施例の部分断面斜視図である。
【図５】本発明の実施例の背面斜視図である。
【符号の説明】
【００３０】１．側面部
２．底面部
３．袋本体
４．上側収納部
５．下側収納部
６．仕切り部材
７．係止部材
８．開閉口
９．買い物袋
１０．上縁部
１１．支持部材
１２．自由端
１３．板状部材
１４．脚部材
１５．筒状収納体
【図１】
0003126187.tif 000003
【図２】
0003126187.tif 000004
【図３】
0003126187.tif 000005
【図４】
0003126187.tif 000006
【図５】
0003126187.tif 000007